(57)【特許請求の範囲】
【請求項１】
ファンと、該ファンを回転させるファンモータと、該ファンモータの駆動と停止を行うモータ制御手段と、該モータ制御手段と接続され、外部装置から送信されるモータ制御信号を受信してこれを該モータ制御手段に伝達する第１の通信手段とを備えた換気装置と、該モータ制御信号を該換気装置に送信する第２の通信手段と、ガスバーナと、該ガスバーナの燃焼量を制御する燃焼制御手段とを備えた開放型燃焼機器とからなる室内換気制御装置において使用される開放型燃焼機器であって、
制限タイマーと、
室内の酸素濃度を検出する酸素濃度検出手段と、
該酸素濃度検出手段によって検出される室内の酸素濃度に応じて、前記換気装置に備えたファンモータの駆動と停止の指示の決定を行い、該指示に対応したモータ制御信号を前記第２の通信手段を介して前記換気装置に送信するファン制御手段とを備え、
燃焼運転中に、前記酸素濃度検出手段により検出される室内の酸素濃度が所定の換気指示ポイント以下となったときに、前記燃焼制御手段が前記ガスバーナの燃焼量を減少させて、前記ファン制御手段が前記ファンモータの駆動を指示するモータ制御信号を前記換気装置に送信すると共に、前記制限タイマーが起動し、
前記酸素濃度検出手段により検出される室内の酸素濃度が前記換気指示ポイントよりも高い所定濃度以上となる前に、前記制限タイマーがタイムアップしたときに、前記燃焼制御手段は前記ガスバーナの燃焼を停止することを特徴とする開放型燃焼機器。
【請求項２】
ファンと、該ファンを回転させるファンモータと、該ファンモータの駆動と停止を行うモータ制御手段と、該モータ制御手段と接続され、外部装置から送信されるモータ制御信号を受信してこれを該モータ制御手段に伝達する第１の通信手段とを備えた換気装置と、該モータ制御信号を該換気装置に送信する第２の通信手段と、ガスバーナと、該ガスバーナの燃焼量を制御する燃焼制御手段とを備えた開放型燃焼機器とからなる室内換気制御装置において使用される開放型燃焼機器であって、
制限タイマーと、
室内温度を検出する室温検出手段と、
室内温度の目標値を設定する室温設定手段と、該室温設定手段によって設定される室内温度の目標値と該室温検出手段によって検出される検出温度との比較結果に応じて前記換気装置に備えたファンモータの駆動と停止の指示の決定を行い、該指示に対応したモータ制御信号を前記第２の通信手段を介して前記換気装置に送信するファン制御手段とを備え、
燃焼運転中に、前記燃焼制御手段が前記ガスバーナの燃焼量を減少させても、前記室温検出手段により検出される室内温度が前記目標値よりも高くなるときに、前記ファン制御手段が前記ファンモータの駆動を指示するモータ制御信号を前記換気装置に送信すると共に、前記制限タイマーが起動し、
前記室温検出手段により検出される室内温度が前記目標値以下となる前に、前記制限タイマーがタイムアップしたときに、前記燃焼制御手段は前記ガスバーナの燃焼を停止することを特徴とする開放型燃焼機器。
【請求項３】
ファンと、該ファンを回転させるファンモータと、該ファンモータの駆動と停止を行うモータ制御手段と、該モータ制御手段と接続され、外部装置から送信されるモータ制御信号を受信してこれを該モータ制御手段に伝達する第１の通信手段とを備えた換気装置と、該モータ制御信号を該換気装置に送信する第２の通信手段と、ガスバーナと、該ガスバーナの燃焼量を制御する燃焼制御手段を備えた開放型燃焼機器とからなる室内換気制御装置において使用される開放型燃焼機器であって、
制限タイマーと、
前記ガスバーナの燃焼状態を検出する燃焼状態検出手段と、
該燃焼状態検出手段によって検出される前記ガスバーナの燃焼状態に応じて、前記換気装置に備えたファンモータの駆動と停止の指示の決定を行い、該指示に対応したモータ制御信号を前記第２の通信手段を介して前記換気装置に送信するファン制御手段とを備え、
燃焼運転中に、前記燃焼状態検出手段により検出される前記ガスバーナの燃焼状態が所定の燃焼状態悪化レベルとなったときに、前記燃焼制御手段が前記ガスバーナの燃焼量を減少させて、前記ファン制御手段が前記ファンモータの駆動を指示するモータ制御信号を前記換気装置に送信すると共に、前記制限タイマーが起動し、
前記燃焼状態検出手段により検出される前記ガスバーナの燃焼状態が前記燃焼状態悪化レベルから良好な状態に回復する前に、前記制限タイマーがタイムアップしたときに、前記燃焼制御手段は前記ガスバーナの燃焼を停止することを特徴とする開放型燃焼機器。
【発明の詳細な説明】
【０００１】
【発明の属する技術の分野】
本発明は、換気装置に対して換気動作を指示する機能を有する開放型燃焼機器に関する。
【０００２】
【従来の技術】
ガスファンヒータ等の開放型燃焼機器において、室内に配置される本体ケース内にバーナ及び対流ファンを備え、該対流ファンで室内空気を対流させると共に、その対流の過程でバーナの燃焼熱により室内空気を加熱するものが知られている。この種の開放型燃焼機器においては、前記バーナの燃焼により生じる燃焼ガスが室内に排出されるので長時間連続使用するときには、室内空気を換気する必要がある。
【０００３】
従来、室内空気を換気するために、燃焼機器と換気扇等の換気装置との間を信号伝達路で接続し、燃焼機器から出力される駆動信号に従って換気装置を駆動するようにした室内換気制御装置が知られている。この室内換気制御装置によれば、燃焼機器から換気装置に対して駆動信号が出力されるので、使用者が室内の換気を忘れている場合にも、室内の換気を行うことができる。そして、更に改良を加えて、例えば燃焼機器を１時間運転すると換気装置を５分間駆動するというように、予め設定された条件に従って定期的に室内の換気を行うことが考えられる。
【０００４】
しかし、燃焼機器の燃焼状態は設定温度や室内温度によって変化するため、生じる燃焼ガスの量は一定ではない。したがって一定の燃焼時間により換気を行う方法では、燃焼量が多いときには換気不足となり、また燃焼量が少ないときには、必要以上に換気が行われて室温が下がってしまうという不都合があった。
【０００５】
また、室内の空気の組成状態の検出を行っていないため、換気量を最適に制御することができず、また換気により室内の酸素濃度が正常な状態に保たれているかどうかの判断もできないので、換気装置が故障して換気がなされなかったり、燃焼機器が故障して異常燃焼による燃焼ガスが多量に発生して室内の酸素濃度が減少しても、燃焼機器は燃焼運転を続行してしまうという不都合があった。
【０００６】
また、ガスファンヒータのバーナの燃焼量は、一定値以下絞って燃焼することが困難なので、ガスファンヒータの設定温度を低くしたときに、実際の室温を該設定値まで下がらない場合があるという不都合があった。
【０００７】
また、燃焼機器の燃焼状態が悪化して、良好燃焼時よりも多くの燃焼排気ガスが発生する状態となった場合にも、適切な時期に換気がなされるとは限らないという不都合があった。
【０００８】
【発明が解決しようとする課題】
本発明は、上記不都合を解決して、燃焼機器の燃焼量や燃焼状態、室内の空気の組成、或いは室内温度に応じて、換気装置に対して換気動作の指示を行う開放型燃焼機器を提供することを目的とする。
【０００９】
上記目的を達成するために、本発明の第１の実施態様は、ファンと、該ファンを回転させるファンモータと、該ファンモータの駆動と停止を行うモータ制御手段と、該モータ制御手段と接続され、外部装置から送信されるモータ制御信号を受信してこれを該モータ制御手段に伝達する第１の通信手段とを備えた換気装置と、該モータ制御信号を該換気装置に送信する第２の通信手段と、ガスバーナと、該ガスバーナの燃焼量を制御する燃焼制御手段とを備えた開放型燃焼機器とからなる室内換気制御装置において使用される開放型燃焼機器であって、制限タイマーと、室内の酸素濃度を検出する酸素濃度検出手段と、該酸素濃度検出手段によって検出される室内の酸素濃度に応じて、前記換気装置に備えたファンモータの駆動と停止の指示の決定を行い、該指示に対応したモータ制御信号を前記第２の通信手段を介して前記換気装置に送信するファン制御手段とを備え、燃焼運転中に、前記酸素濃度検出手段により検出される室内の酸素濃度が所定の換気指示ポイント以下となったときに、前記燃焼制御手段が前記ガスバーナの燃焼量を減少させて、前記ファン制御手段が前記ファンモータの駆動を指示するモータ制御信号を前記換気装置に送信すると共に、前記制限タイマーが起動し、前記酸素濃度検出手段により検出される室内の酸素濃度が前記換気指示ポイントよりも高い所定濃度以上となる前に、前記制限タイマーがタイムアップしたときに、前記燃焼制御手段は前記ガスバーナの燃焼を停止することを特徴とする。
【００１０】
かかる本発明によれば、前記酸素濃度検出手段によって検出される室内の酸素濃度に応じて前記換気装置に備えた前記ファンモータを駆動し、室内の換気を行うことで、室内の酸素濃度が所定値以下となるのを防止することができる。
【００１１】
また、本発明に付随する構成として、前記換気装置に備えた前記モータ制御手段は、前記ファンモータの回転数を可変する機能を有し、前記ファン制御手段は、前記酸素濃度検出手段により検出される室内の酸素濃度に応じて前記ファンモータの回転数を決定し、該回転数に対応したモータ制御信号を前記第２の通信手段を介して前記換気装置に送信するようにしてもよい。
【００１２】
かかる構成によれば、前記酸素濃度検出手段による酸素濃度の減少率が大きいときに、前記換気装置に備えた前記ファンモータの回転数を大きくして換気量を増やすことで、室内の酸素濃度が所定値以下となるのを防止することができる。そして、前記酸素濃度検出手段による酸素濃度の減少率が小さいときには、前記ファンモータの回転数を小さくすることで換気量を減らし、室温が下がるのを抑えながら換気を行うことができる。
【００１５】
また、本発明に付随する構成として、前記酸素濃度検出手段は、前記開放型燃焼機器の燃焼炎の温度を検出する炎温度検出手段と、該炎温度検出手段によって検出された燃焼炎の温度から室内の酸素濃度を算出する酸素濃度算出手段からなるようにしてもよい。
【００１６】
本願発明者らは、室内の酸素濃度が変化すると、それに応じて燃焼機器の燃焼炎の形状及び温度が変化すること、そして室内の酸素濃度と該燃焼炎の温度の間に相関関係があることを知見した。この相関関係を利用することで、前記炎温度検出手段によって検出される燃焼炎の検出温度から、室内の酸素濃度を算出することができる。
【００２１】
また、本発明の第２の実施態様は、ファンと、該ファンを回転させるファンモータと、該ファンモータの駆動と停止を行うモータ制御手段と、該モータ制御手段と接続され、外部装置から送信されるモータ制御信号を受信してこれを該モータ制御手段に伝達する第１の通信手段とを備えた換気装置と、該モータ制御信号を該換気装置に送信する第２の通信手段と、ガスバーナと、該ガスバーナの燃焼量を制御する燃焼制御手段とを備えた開放型燃焼機器とからなる室内換気制御装置において使用される開放型燃焼機器であって、制限タイマーと、室内温度を検出する室温検出手段と、室内温度の目標値を設定する室温設定手段と、該室温設定手段によって設定される室内温度の目標値と該室温検出手段によって検出される検出温度との比較結果に応じて前記換気装置に備えたファンモータの駆動と停止の指示の決定を行い、該指示に対応したモータ制御信号を前記第２の通信手段を介して前記換気装置に送信するファン制御手段とを備え、燃焼運転中に、前記燃焼制御手段が前記ガスバーナの燃焼量を減少させても、前記室温検出手段により検出される室内温度が前記目標値よりも高くなるときに、前記ファン制御手段が前記ファンモータの駆動を指示するモータ制御信号を前記換気装置に送信すると共に、前記制限タイマーが起動し、前記室温検出手段により検出される室内温度が前記目標値以下となる前に、前記制限タイマーがタイムアップしたときに、前記燃焼制御手段は前記ガスバーナの燃焼を停止することを特徴とする。
【００２２】
かかる本発明によれば、前記温度設定手段によって設定された室温の目標値が低く、前記燃焼機器の燃焼量を減少させても前記温度検出手段によって検出される室温が該目標値まで下がらないときに、前記換気装置を駆動させて室内の暖気を外に逃がすことで、該燃焼機器の燃焼運転を停止することなく、室温を該目標値まで下げることができる。そのため、前記燃焼機器の燃焼動作を停止させて室温を調節するときのように、頻繁に燃焼動作の運転／停止を繰り返すことで、点火時に発生する不完全燃焼ガスにより使用者に不快感を与えることがない。
【００２３】
また、本発明に付随する構成として、前記換気装置に備えた前記モータ制御手段は、前記ファンモータの回転数を可変する機能を有し、前記ファン制御手段は、前記室内設定手段によって設定される室内温度の目標値と前記室温検出手段によって検出される検出温度との比較結果に応じて前記ファンモータの回転数を決定し、該回転数に対応したモータ制御信号を前記第２の通信手段を介して前記換気装置に送信するようにしてもよい。
【００２４】
かかる構成によれば、前記ファンモータの回転数を可変することで、より広範囲の前記室温の目標値に対して、前記燃焼機器の燃焼運転を停止することなく、該室温の目標値まで室温を下げることができる。
【００２５】
また、本発明の第３の実施態様は、ファンと、該ファンを回転させるファンモータと、該ファンモータの駆動と停止を行うモータ制御手段と、該モータ制御手段と接続され、外部装置から送信されるモータ制御信号を受信してこれを該モータ制御手段に伝達する第１の通信手段とを備えた換気装置と、該モータ制御信号を該換気装置に送信する第２の通信手段と、ガスバーナと、該ガスバーナの燃焼量を制御する燃焼制御手段を備えた開放型燃焼機器とからなる室内換気制御装置において使用される開放型燃焼機器であって、制限タイマーと、前記ガスバーナの燃焼状態を検出する燃焼状態検出手段と、該燃焼状態検出手段によって検出される前記ガスバーナの燃焼状態に応じて、前記換気装置に備えたファンモータの駆動と停止の指示の決定を行い、該指示に対応したモータ制御信号を前記第２の通信手段を介して前記換気装置に送信するファン制御手段とを備え、燃焼運転中に、前記燃焼状態検出手段により検出される前記ガスバーナの燃焼状態が所定の燃焼状態悪化レベルとなったときに、前記燃焼制御手段が前記ガスバーナの燃焼量を減少させて、前記ファン制御手段が前記ファンモータの駆動を指示するモータ制御信号を前記換気装置に送信すると共に、前記制限タイマーが起動し、前記燃焼状態検出手段により検出される前記ガスバーナの燃焼状態が前記燃焼状態悪化レベルから良好な状態に回復する前に、前記制限タイマーがタイムアップしたときに、前記燃焼制御手段は前記ガスバーナの燃焼を停止することを特徴とする。
【００２６】
前記燃焼状態検出手段により、前記燃焼機器の燃焼状態が悪化したことが検出されたときは、不完全燃焼等により、燃焼状態が良好なときよりも多くの燃焼排気ガスが発生していると考えられる。かかる場合に、本発明によれば、前記換気装置に備えた前記ファンモータを駆動して換気を行うことで、発生した燃焼ガスを室外に排出することができる。
【００２７】
また、本発明に付随する構成として、前記換気装置に備えた前記モータ制御手段は、前記ファンモータの回転数を可変する機能を有し、前記ファン制御手段は、前記燃焼状態検出手段によって検出された燃焼状態に応じて前記ファンモータの回転数を決定し、該回転数に対応したモータ制御信号を前記第２の通信手段を介して前記換気装置に送信するようにしてもよい。
【００２８】
かかる構成によれば、前記燃焼状態検出手段により、前記燃焼機器の燃焼状態が悪化したことが検出されたときに、悪化の程度に応じて、前記ファンモータの回転数を可変して換気量を調節することで、発生した燃焼排気ガスをより効率良く室外に排出することができる。
【００３１】
また、前記第１から第３の実施態様に付随する構成として、前記第１の通信手段と前記第２の通信手段とは、ホームオートメーション端子を備え、両ホームオートメーション端子間を接続して、前記モータ制御信号の伝達を行うようにしてもよい。
【００３２】
かかる構成によれば、ホームオートメーション端子を備えた既設の換気装置を利用して、燃焼機器から該換気装置にモータ制御信号を送信し、換気量の制御を行うことができる。
【００３３】
また、前記第１から第３の実施態様に付随する構成として、前記第２の通信手段は前記モータ制御信号を無線信号として送信する機能を有し、前記第１の通信手段はホームオートメーション端子と、該ホームオートメーション端子を介して接続され、前記第２の通信手段から送信される無線信号を受信してこれを該ホームオートメーション端子に入力可能な信号形態に変換する無線通信手段とを備えるようにしてもよい。
【００３４】
かかる構成によれば、ホームオートメーション端子を有する既設の換気装置に前記無線通信手段を接続することで、前記第２の通信手段を介して前記燃焼機器から該換気装置に対して無線でモータ制御信号を送信することが可能となる。これにより、通信のための配線工事が不要となると共に、前記換気装置と前記燃焼機器の設置場所の選択の自由度を高めることができる。
【００３５】
【発明の実施の形態】
本発明の第１〜第４の実施形態を図１〜図６を参照して説明する。図１は本発明の第１〜第４の実施形態の室内換気制御装置の構成図、図２は燃焼炎の温度と室内の酸素濃度との相関関係を示すグラフ、図３は本発明の第１の実施形態の動作を示すフローチャート、図４は本発明の第２の実施形態の動作を示すフローチャート、図５は本発明の第３の実施形態の動作を示すフローチャート、図６は本発明の第４の実施形態の動作を示すフローチャートである。
【００３６】
図１を参照して、本発明の第１〜第４の実施形態の室内換気制御装置は、開放型燃焼機器であるガス温風暖房機１と、該温風暖房機１から無線で送信されるモータ制御信号を受信し、該モータ制御信号に応じて室内の換気を行う換気装置２とからなる。
【００３７】
温風暖房機１は、本体ケース３内に、熱源である燃焼部４を収納した燃焼室５と、燃焼室５に連なる熱交換部６と、室内空気を熱交換部６を介して対流させる対流ファン７とが備えられている。燃焼室５内の燃焼部４は、本体ケース３の外部から配管されたガス供給管８に設けられた複数のノズル９にそれぞれ対向配置された複数のガスバーナ１０によって構成されている。各ガスバーナ１０は、各ノズル９から供給される燃焼ガスと燃焼室５内に導入される燃焼用空気とを吸引・混合してその混合気を先端から噴出し、それを燃焼させる。燃焼室５内には、ガスバーナ１０の先端付近に配置され、ガスバーナの点火を行うスパーカ１１と、ガスバーナ１０の燃焼炎の温度を検出する炎温度検出手段１２とが設けられている。尚、ガス供給管８には、２個の開閉電磁弁１３、１４と、電磁比例弁１５とが介装されている。
【００３８】
対流ファン７は、本体ケース３内に吸引口１６に臨んで設けられ、対流ファンモータ１７と連結されている。対流ファン７は、その回転により室内の空気を吸引口１６を通して吸引すると共に、吸引した空気をガスバーナ１０の燃焼ガスと共に本体ケース３内の送風通路１８に送出し、さらに本体ケース３の前面部に形成された吹出口１９から室内に送風することで、室内空気を対流させる。また、本体ケース３内には、対流ファン７により吸引される室内空気の温度（室温）を検出する室温検出手段２０が吸引口１６に臨んで設けられている。
【００３９】
温風暖房機１は、使用者により操作パネル２１に備えた運転スイッチ２２や室温設定手段である温調スイッチ２３を介して入力される暖房開始、停止、温調信号により、暖房運転の制御を行うコントローラ２４を備えている。コントローラ２４は、マイクロコンピュータ等を含む電子回路により構成され、炎温度検出手段１２により検出される燃焼炎の温度から室内の酸素濃度を算出する酸素濃度算出手段２５と、温調スイッチ２３による設定温度と室温検出手段２０によって検出される室温の差に応じて燃焼量を決定する燃焼量決定手段２６と、燃焼制御手段２７と、ファン制御手段２８とを備える。
【００４０】
燃焼制御手段２７は、燃焼量決定手段２６によって決定された燃焼量に応じてスパーカ１１、開閉電磁弁１３、１４、電磁比例弁１５、対流ファンモータ１７等を制御して、暖房運転を行う。また、酸素濃度算出手段２５によって算出される室内の酸素濃度や、燃焼量決定手段２６によって決定された燃焼量に応じて、換気装置２に対するモータ制御信号を決定する。
【００４１】
本第１〜第４の実施態様では、第２の通信手段である無線通信ユニット２９は予め温風暖房機１に組み込まれてコントローラ２４と接続されており、温風暖房機１と同一電源で動作する。無線通信ユニット２９は無線信号の送信が可能であり、コントローラ２４に備えたファン制御手段２８から出力されるモータ制御信号を無線信号に変換して、換気装置２に送信する。
【００４２】
換気装置２は、例えば既設の換気扇であり、温風暖房機１が設置された室内に、温風暖房機１から離れて設置されている。換気装置２は、ファンモータ３０に連結されたファン３１と、ホームオートメーション端子３２から入力される制御信号に応じてファンモータ３０の駆動と停止、及び回転制御を行うモータ制御手段３３と、ホームオートメーション端子３２と接続された第１の通信手段である無線通信手段３４とを備える。無線通信手段３４は、温風暖房機１に備えた無線通信ユニット２９から送信されるモータ制御信号を受信してホームオートメーション端子３２で入力可能な信号形態に変換する。尚、本第１〜第４の実施形態では、無線通信手段３４は、内蔵する電池３５を駆動源とするので、既設の換気装置２に無線通信手段３４を後付けするときに、無線通信手段３４用の電源配線工事が不要であり、無線通信手段３４を容易に設置することができる。
【００４３】
このように、既設の換気装置２のホームオートメーション端子３２と無線通信手段３４とを接続することで、温風暖房機１から換気装置２への無線によるモータ制御信号の送信が可能となる。したがって、新たに換気装置を設置する必要がなく、また、有線で信号の送信を行うときに必要となる信号伝達線の配線工事も不要となる。
【００４４】
次に、本発明の第１の実施形態を図３のフローチャートを参照して説明する。図３は、酸素濃度算出手段２５によって算出される室内の酸素濃度に応じたコントローラ２４の動作を示す。
【００４５】
図２は温風暖房機１に備えた炎温度検出手段１２の出力電圧と室内の酸素の濃度との相関関係を示すグラフである。本実施形態では、炎温度検出手段１２は熱電対であり、温度に応じた電圧を出力する。酸素濃度算出手段２５は、この図２のグラフを変換データとして持ち、炎温度検出手段１２によって検出される燃焼炎の温度に対応した電圧から、該グラフにより室内の酸素濃度を算出する。グラフ中、Ｐ１は炎温度検出手段１２の出力電圧が２０ｍＶ（酸素濃度１６．３％）である換気指示ポイント、Ｐ２は出力電圧が１８ｍＶ（酸素濃度１５．１％）である燃焼性悪化ポイントである。
【００４６】
燃焼運転時、コントローラ２４に備えた燃焼制御手段２７は、常時炎温度検出手段１２の出力電圧が２０ｍＶ（酸素濃度１６．３％）以上であるか否かを確認する（図３、ＳＴＥＰ３０）。そして炎温度検出手段１２の出力が２０ｍＶよりも下回ったときには、室内の酸素濃度が１６．３％である前記換気指示ポイントＰ１よりも低くなっているので、ＳＴＥＰ３１で燃焼制御手段２７が電磁比例弁１５を操作してガスバーナ１０の燃焼量を制限（減少）させる。また、ＳＴＥＰ３２でファン制御手段２８から無線通信ユニット２９を介して換気装置２に対して換気動作の開始を指示するモータ制御信号を送信し、室内空気の換気を開始する。
【００４７】
そして、ＳＴＥＰ３３でコントローラ２４の内部に備えた制限タイマーをスタートさせる。制限タイマーがＳＴＥＰ３７でタイムアップする前にＳＴＥＰ３４で炎温度検出手段１２の出力が２２ｍＶ以上となったときは、換気により酸素濃度が増加して平常値に戻ったと判断して、ＳＴＥＰ３５でファン制御手段２８が無線通信ユニット２９を介して換気装置２に対して換気停止信号を送信し、ＳＴＥＰ３６で燃焼制御手段２７が電磁比例弁１５によるガスバーナ１０の燃焼量の制限を解除する。
【００４８】
ＳＴＥＰ３７で制限タイマーがタイムアップしたときには、換気が正常に行われておらず、燃焼動作を続行するとさらに室内の酸素濃度が減少し、前記燃焼性悪化ポイントＰ２に至るおそれがあるので、ＳＴＥＰ３８で燃焼制御手段２７が燃焼動作を停止し、ＳＴＥＰ３９で操作パネル２１に備えた図示しない表示器にエラー表示をする。
【００４９】
尚、図３のＳＴＥＰ３１でファン制御手段２８から無線通信ユニット２９を介して換気装置２に送信される換気動作を指示するモータ制御信号は、換気装置２に備えたファンモータ３０の駆動を指示する‘モータ駆動指示信号’である。そしてさらに、酸素濃度検出手段２５により検出される室内の酸素濃度に応じて、‘モータ回転数指示信号’を送信し、換気装置２に備えたファンモータ３０の回転数を変化させて換気量を調節してもよい。
【００５０】
また、図３のＳＴＥＰ３１の燃焼制御手段２７による燃焼量の制限は行わず、換気装置２による換気のみを行ってもよい。
【００５１】
次に、本発明の第２の実施形態を図４のフローチャートを参照して説明する。図４は、燃焼量決定手段２６によって決定される温風暖房機１の燃焼量に応じたファン制御手段２８の動作を示す。ファン制御手段２８は、燃焼量決定手段２６によって決定される燃焼量の増減に応じて、換気装置２に備えたファンモータ３０の回転数を可変して換気量を増減させる。図４を参照して、ＳＴＥＰ４０で温風暖房機１の燃焼運転が開始され、ＳＴＥＰ４１で燃焼量決定手段２６により決定された温風暖房機１の燃焼量が３０００kcal/h以上であるときは、ＳＴＥＰ４５に進んでファン回転数大信号を無線通信ユニット２９を介して換気装置２に送信する。
【００５２】
また、ＳＴＥＰ４２で温風暖房機１の燃焼量が２０００kcal/h以上であるときは、ＳＴＥＰ４６に進んでファン回転数中信号を換気装置２に送信し、ＳＴＥＰ４３で温風暖房機１の燃焼量が１０００kcal/h以上であるときには、ＳＴＥＰ４７に進んでファン回転数小信号を換気装置２に送信する。このように、燃焼量決定手段２６によって決定された燃焼量に応じたファンモータ３０の回転数指示信号を無線通信ユニット２９を介して換気装置２に対して送信することで、適切な換気量で換気装置２を動作させることができる。
【００５３】
尚、図４のフローチャートでは、ファンモータ３０の回転数を可変することで、換気量の増減を行っているが、ファンモータ３０の回転数を一定とし、所定時間あたりのファンモータ３０の駆動時間と停止時間の割合を可変することで、換気量の増減を行ってもよい。
【００５４】
次に、本発明の第３の実施形態を図５のフローチャートを参照して説明する。図５は、燃焼制御手段２７により温風暖房機１の燃焼量を減少させても、室温検出手段による室温の検出値が、温調スイッチ２３で設定された希望温度以下にならないときのファン制御手段２８の動作を示す。図５を参照して、ＳＴＥＰ５０で操作パネル２１に備えた温調スイッチ２３で設定された希望温度よりも室内温度検出手段２０による室温の検出値のほうが高いときに、ＳＴＥＰ５１で無線通信ユニット２９を介して換気装置２に換気動作信号を送信し、換気装置２を動作させることで、室内の暖気を室外に逃がす。また、ＳＴＥＰ５２で制限タイマーをスタートさせる。そして、ＳＴＥＰ５３で温調スイッチ２３で設定された希望温度よりも室温の方が低くなったときには、ＳＴＥＰ５４で換気停止信号を無線通信ユニット２９を介して換気装置２に送信し、換気装置２による換気動作を停止する。
【００５５】
このように、温調スイッチ２３による設定温度が低く、燃焼制御手段２７により温風暖房機１の燃焼量を減少させるだけでは室温を温調スイッチ２３で設定された希望温度まで下げることができないときでも、換気装置２によって室内の暖気を室外に逃がすことで、温風暖房機１の燃焼運転を停止することなく室温を下げることができる。そのため、点火／消火を自動で行う機能を有しない温風暖房機に対しても低い室温設定での暖房運転が可能となる。その為、点火・消火を繰り返し行うことによる不都合、例えば点火／消火時の臭いや、点火・消火音が生じることを無くすことができ、また点火時のスパークの音やこれにより生じるノイズの発生を無くすことができる。
【００５６】
尚、ＳＴＥＰ５３で室温が設定温度以下になる前に、ＳＴＥＰ５５で制限タイマーがタイムアップしたときには、温風暖房機１の発生する熱量が換気装置２によって室外に放出される熱量を上回っていると判断され、換気装置２による換気では室温を下げることができないので、ＳＴＥＰ５６で温風暖房機１の燃焼動作を停止し、ＳＴＥＰ５７で操作パネル２１に備えた図示しない表示ユニットにエラー表示をする。
【００５７】
また、ＳＴＥＰ５３で室温が設定値以下にならないときに、ファン制御手段２８から換気装置２に対して、ファンモータ３０の回転数を増加させるモータ制御信号を送信し、ファンモータ３０の回転数を増加させて換気装置２による換気量を増やすようにしてもよい。
【００５８】
次に、本発明の第４の実施形態を図６のフローチャートを参照して説明する。図３は、炎温度検出手段１２により検出されるガスバーナ１０の燃焼状態に応じたコントローラ２４の動作を示す。本第４の実施形態では、炎温度検出手段１２をガスバーナ１０の燃焼状態検出手段として用いている。ガスバーナ１０の燃焼状態が変化すると燃焼炎の形状が変化し、それに伴って炎温度検出手段１２による検出温度が変化するので、炎温度検出手段１２によるガスバーナ１０の燃焼炎の温度からガスバーナ１０の燃焼状態を検出することができる。
【００５９】
温風暖房機１の燃焼運転時、コントローラ２４に備えたファン制御手段２８は、常時炎温度検出手段１２の出力電圧が１８ｍＶ以上であるか否かを確認する（図６、ＳＴＥＰ６０）。そして炎温度検出手段１２の出力が１８ｍＶよりも下回ったときには、ガスバーナ１０の燃焼状態が悪化したものと判断し、ＳＴＥＰ６１で燃焼制御手段２７が電磁比例弁１５を操作してガスバーナ１０の燃焼量を制限（減少）させる。また、ＳＴＥＰ６２でファン制御手段２８から無線通信ユニット２９を介して換気装置２に対して換気動作の開始を指示するモータ制御信号を送信し、室内空気の換気を開始する。
【００６０】
そして、ＳＴＥＰ６３でコントローラ２４の内部に備えた制限タイマーをスタートさせる。制限タイマーがＳＴＥＰ６７でタイムアップする前にＳＴＥＰ６４で炎温度検出手段１２の出力が２０ｍＶ以上となったときは、ガスバーナ１０の燃焼が良好な状態に回復したと判断して、ＳＴＥＰ６４でファン制御手段２８が無線通信ユニット２９を介して換気装置２に対して換気停止信号を送信し、ＳＴＥＰ６６で燃焼制御手段２７が電磁比例弁１５によるガスバーナ１０の燃焼量の制限を解除する。
【００６１】
尚、ＳＴＥＰ６７で制限タイマーがタイムアップしたときには、バスバーナ１０の燃焼を良好な状態に回復させることができないと判断し、ＳＴＥＰ６８で燃焼制御手段２７が燃焼動作を停止し、ＳＴＥＰ６９で操作パネル２１に備えた図示しない表示器にエラー表示をする。
【００６２】
尚、図６のＳＴＥＰ６２でファン制御手段２８から無線通信ユニット２９を介して換気装置に送信される換気動作を指示するモータ制御信号は、換気装置２に備えたファンモータ３０の駆動を指示する‘モータ駆動指示信号’である。そしてさらに、炎温度検出手段１２により検出されるガスバーナ１０の燃焼状態に応じて、‘モータ回転数指示信号’を送信して換気装置２に備えたファンモータ３０の回転数を可変し、換気量を調節してもよい。
【００６３】
また、図３のＳＴＥＰ６１の燃焼制御手段２７による燃焼量の制限は行わず、換気装置２による換気のみを行ってもよい。
【００６４】
また、炎温度検出手段１２には、熱電対やフレームロッドが採用される。
【００６５】
尚、本実施形態では、開放型のガス温風暖房機を例に挙げて説明したが、給湯器等、他の燃焼機器であってもよい。
【００６６】
また、本第１〜第４の実施形態では、温風暖房機１は換気装置２に対して、無線によりモータ制御信号を送信したが、ホームオートメーション端子を備えた温風暖房機を使用し、該温風暖房機のホームオートメーション端子と換気装置２のホームオートメーション端子とを有線接続すれば、有線でモータ制御信号の送信も可能である。
【００６７】
また、本第１〜第４の実施形態では、ホームオートメーション端子を有する換気装置を例に挙げて説明したが、ホームオートメーション端子を有しない換気装置であっても、温風暖房機からのモータ制御信号を受信できる機能を有していれば本発明の適用が可能である。この場合、有線によりモータ制御信号の送受信を行ってもよい。
【００６８】
更に、無線によりモータ制御信号の送受信を行う場合、無線通信手段３４は換気装置２と一体型であってもよい。
【図面の簡単な説明】
【図１】本発明の第１〜第４の実施形態の構成図。
【図２】燃焼炎の温度と室内酸素濃度との関係を示すグラフ。
【図３】本発明の第１の実施形態の動作を示すフローチャート。
【図４】本発明の第２の実施形態の動作を示すフローチャート。
【図５】本発明の第３の実施形態の動作を示すフローチャート。
【図６】本発明の第４の実施形態の動作を示すフローチャート。
【符号の説明】
１…温風暖房機、２…換気装置、３…本体ケース、４…燃焼部、５…燃焼室、６…熱交換部、７…対流ファン、８…ガス供給管、９…ノズル、１０…ガスバーナ、１１…スパーカ、１２…炎温度検出手段、１３，１４…開閉電磁弁、１５…電磁比例弁、１６…吸引口、１７…対流ファンモータ、１８…送風通路、１９…吹出口、２０…室温検出手段、２１…操作パネル、２２…運転スイッチ、２３…温調スイッチ、２４…コントローラ、２５…酸素濃度検出手段、２６…燃焼量決定手段、２７…燃焼制御手段、２８…ファン制御手段、２９…無線通信ユニット、３０…ファンモータ、３１…ファン、３２…ホームオートメーション端子、３３…モータ制御手段、３４…無線通信手段、３５…電池
【図１】
0003647589.tif 000002
【図２】
0003647589.tif 000003
【図３】
0003647589.tif 000004
【図４】
0003647589.tif 000005
【図５】
0003647589.tif 000006
【図６】
0003647589.tif 000007